(57)【要約】【課題】    強い耐震にも対応可能な構造物を確り支持し衝撃を和らげる事が出来るスプリングを使用し補助補強板付き拡張アンカーを提供する。【解決手段】    拡張アンカー本体嵌入孔１８に補助補強板付６と拡張アンカー本体１をーキング１１を使用し取付け補助補強支持板釘２５を挿着し拡張挿通用金具１５を使用し拡張挿通釘４を拡張挿通釘４ａの位置まで押出し拡張滑り防止部２を張り拡張雌螺子５に支持雄ボルト１４をねじ込み台石支持嵌通孔１９のように貫通孔を設けそこに通し衝撃防止スプリング１２と座金１３を支持雌ナット１６で嵌着したものである又，図１及び図１４のように構造物の数が何層に重なっても支持雄ボルトの長さを調整する事により幅広く使用できる。【選択図】図１
2010180685.tif 000002
【特許請求の範囲】
【請求項１】
補助補強板（６）の中央部に拡張アンカー本体（１）を設け，その内部に拡張雌螺子（５）の先端部に拡張配分溝（２４）を刻み，その下部に拡張挿通釘（４）を嵌通し外部先端部に拡張滑り止め防止部（２）を設け補助補強釘孔（７）に補助補強板支持釘（２５）を設けた事を特徴とする補助補強板付き拡張アンカーと構造物。
【請求項２】
拡張アンカー本体（１）の下部に補助補強板付き雄螺子（９）を設け補助補強板（６）の中央部に補助補強板付き雌螺子（８）を設け支持雄ボルト（１４）に衝撃防止スプリング（１２）と座金（１３）を通し支持雌ナット（１４）を設けた事を特徴とする請求項１の補助補強板付き拡張アンカーと構造物。
【請求項３】
拡張挿通釘（４）を拡張挿通用金具（１５）で拡張挿通釘（４ａ）まで嵌入し拡張滑り防止部（２）を拡張させ補助補強板（６）と衝撃防止スプリング（１２）の間に支持物体（１０）を圧着した事を特徴とする請求項１の補助補強板付き拡張アンカーと構造物。
【請求項４】
竿石（１７）の下部中央部に拡張アンカー本体嵌入孔（１８）を設け補助補強板（６）を補助補強支持釘（２５）をコーキング（１１）と挿通し上台石（２０）と中台石（２１）と芝台石（２３）に台石（２６）のようにように中央部に台石支持嵌通孔（１９）を設け芝台石（２２）の下部に衝撃防止スプリング（１２）と座金（１３）に支持雄ボルト（１４）を拡張アンカー本体（１）に嵌着し支持雌ナット（１６）で圧着した事を特徴とする請求項１の補助補強板付き拡張アンカーと構造物。
【発明の詳細な説明】
【技術分野】
【０００１】本発明は，石材やコンクリートの工事にアンカーを施工したのち耐震から構造物とアンカーの破損を極力制御する補助補強板付き拡張アンカーと構造物に関するものである。
【背景の技術】
【０００２】従来，拡張アンカー等は，色々と工事施工に使用されて有った。
【発明が解決しようしする課題】
【０００３】基礎，構造物等の補強を計りアンカーを選び施工をしているが，強い地震や揺れに耐きれずアンカー自体が抜けたり石材が破損する事がある。
以上の問題点を解決するためのものである。
【問題を解決するための手段】
【０００４】拡張アンカー本体に補助補強板を螺子込みで取付けが出来，その板に４箇所の穴を開け補助支持釘を差込みコウキング等で押さえて補強する事を特徴とする。
【０００５】拡張アンカー本体を孔に嵌入し構造物に嵌通孔を設け支持雄ボルトを拡張アンカー本体に嵌着し構造物をはさむように衝撃防止スプリングと座金を支持雄ナットで押さえる事を特徴とする。
【発明の効果】
【０００６】耐震性に優れアンカーの外れや構造物の破壊，破損，転倒が減らす事ができる。
【０００７】衝撃防止スプリングを設ける事により強い衝撃に反応し石材やコンクリトの破壊押さえ構造物の倒壊を減らす事ができる。
【発明を実施するための形態】
【０００８】以下，本発明の実施の形態について図面を参照して説明する。
図１の拡張アンカー１の先端部の周囲に拡張滑り防止部２を設けその先端中央部に拡張挿通釘４ａを嵌入し補助補強板６に補助補強板支持釘２５挿着し支持物体１０を衝撃防止スプリング１２と座金１３を支持雌ナット１６で支持雄ボルト１４に嵌着したものである。
【０００９】図２の拡張アンカー本体の内部に拡張挿通釘４を拡張挿通用金具１５で拡張を目的に拡張挿通釘４ａの位置に嵌入し定着し拡張を果たすもの。
【００１０】図３の拡張アンカー本体１に補助補強板６をねじ込んで取付け先端に拡張目的の拡張分配溝２４を設けたもの。
【００１１】図４の補助補強板６に補助補強釘孔７を４箇所設け中央部に拡張アンカー本体をねじ込んで取付ける為の補助補強板取付け雌螺子を設けたもの。
【００１２】図５の拡張頭部３に補助補強板６に補助補強釘孔７を設けたもの。
【００１３】図６の拡張アンカー本体１の内部に拡張雌螺子５を設け拡張挿通釘４ａの位置嵌入し拡張滑り防止部２が拡張した状態ものであり又，補助補強板６を嵌着したもの。
【００１４】図７の支持雄ボルト１４に衝撃防止スプリング１２と座金１３を設け支持雌ナット１６でなる。
【００１５】図８の拡張挿通釘４ａは拡張位置に嵌入し拡張頭部３が拡張したものである。
【００１６】図９の補助補強板６と拡張アンカー本体１を，ねじ込んで組み込んだもの。
【００１７】図１０の補助補強板６に補助補強板付き雌螺子８と補助補強釘孔７を設けたもの。
【００１８】図１１の補助補強板取付け雄螺子９の内部に拡張挿通釘４を嵌通に納めたもの。
【００１９】図１２の墓石材の竿石１７の下部中央部に拡張アンカー本体嵌入孔１８を設けたもの。
【００２０】図１３の台石２６の中央に台石支持嵌通孔１９を設けるもの。
【００２１】図１４の墓石工事施工は納骨壁石２３の上部に芝台石２２の上に中台石２１の上に上台石２０を積み重ね台石支持嵌通孔１９を施工し竿石１７の下部中央に拡張アンカー本体嵌入孔１８を設け拡張アンカー本体１と補助補強板６を嵌装しコーキング１１を挿着し支持雄ボルト１４をねじ込んで取付け上台石２０の上に重ねあわせ芝台石２２の下部に突き出た支持雄ボルト１４に衝撃防止スプリング１２と座金１３を支持雌ナット１６て嵌着したものである。
【図面の簡単な説明】
【００２２】
【図１】本発明の正面図
【図２】本発明の視図にした正面図
【図３】本発明の一部を除いた正面図
【図４】本発明の底面図
【図５】本発明の平面図
【図６】本発明のＡーＡ線断面図
【図７】本発明の正面図
【図８】本発明の平面図
【図９】本発明の一部を斜視図
【図１０】本発明の斜視図
【図１１】本発明の斜視図
【図１２】本発明の斜視図
【図１３】本発明の斜視図
【図１４】本発明の補助補強板付き拡張アンカー本体と使用全体図
【符号の説明】
【００２３】１      拡張アンカー本体              １６    支持雄ナット
２      拡張滑り防止部                １７    竿石
３      拡張頭部                      １８    拡張アンカー本体嵌入
４      拡張挿通釘                    １９    台石支持嵌通孔
４ａ    拡張挿通釘                    ２０    上台石
５      拡張雌螺子                    ２１    中台石
６      補助補強板                    ２２    芝台石
７      補助補強釘孔                  ２３    納骨壁石
８      補助補強板取付け雌螺子        ２４    拡張分配溝
９      補助補強板取付け雄螺子        ２５    補助補強板支持釘
１０    支持物体                      ２６    石台
１１    コーギング
１２    衝撃防止スプリング
１３    座金
１４    支持雄ボルト
１５    拡張挿通用金具
【図１】
2010180685.tif 000003
【図２】
2010180685.tif 000004
【図３】
2010180685.tif 000005
【図４】
2010180685.tif 000006
【図５】
2010180685.tif 000007
【図６】
2010180685.tif 000008
【図７】
2010180685.tif 000009
【図８】
2010180685.tif 000010
【図９】
2010180685.tif 000011
【図１０】
2010180685.tif 000012
【図１１】
2010180685.tif 000013
【図１２】
2010180685.tif 000014
【図１３】
2010180685.tif 000015
【図１４】
2010180685.tif 000016